(57)【要約】【課題】  時間方向圧縮されたデータを用いて、映像内容を把握しやすいような早送り再生および早戻し再生を可能にする映像コンテンツ再生装置および方法を提供する。【解決手段】  ２つのデコーダ１１Ａ，１１Ｂは、映像コンテンツから抜き出した、互いに時間的に離れたデータをそれぞれの入力として交互に再生する。映像切替処理手段１２は、２つのデコーダ１１Ａ，１１ｂで再生された映像を入力とし、映像合成による特殊効果を用いて、一方の映像の表示終了の前に他方の映像の表示を開始して重複時間を作りながら、２つのデコーダ１１Ａ，１１Ｂによって再生された映像を交互に切り替えて表示する。【選択図】      図１
2005286881.tif 000002
【特許請求の範囲】
【請求項１】
映像コンテンツを倍速再生する映像コンテンツ再生装置であって、
前記映像コンテンツから抜き出した、互いに時間的に離れたデータをそれぞれの入力として交互に再生する２つのデコーダと、
２つの前記デコーダで再生された前記映像を入力とし、映像合成による特殊効果を用いて、一方の映像の表示終了の前に他方の映像の表示を開始して重複時間を作りながら、２つの前記デコーダによって再生された前記映像を交互に切り替えて表示する映像切替処理手段とを有する映像コンテンツ再生装置。
【請求項２】
前記映像合成による特殊効果は、一方の前記デコーダで再生された映像をフェードアウトすると共に、他方の前記デコーダで再生された映像をフェードインするクロスフェードである、請求項１記載の映像コンテンツ再生装置。
【請求項３】
２つの前記デコーダで得られた音声を入力とし、前記映像切替処理手段における映像の切り替えと同期して前記音声を交互に切り替えて出力する音声切替手段をさらに有する、請求項１または２に記載の映像コンテンツ再生装置。
【請求項４】
２つの前記デコーダが、前記映像コンテンツから抜き出した前記データを、通常再生と同方向に交互に再生することにより早送り再生を行う、請求項１〜３のいずれか１項に記載の映像コンテンツ再生装置。
【請求項５】
２つの前記デコーダが、前記映像コンテンツから抜き出した前記データを、通常再生と逆方向に交互に再生することにより早戻し再生を行う、請求項１〜４のいずれか１項に記載の映像コンテンツ再生装置。
【請求項６】
映像コンテンツを倍速再生する映像コンテンツ再生装置であって、
前記映像コンテンツから抜き出した、互いに時間的に離れたデータを入力として順次高速再生するデコーダと、
前記デコーダの再生出力を交互に蓄積し、通常再生の速度で交互に出力する２つのバッファと、
２つの前記バッファから出力された前記映像を入力とし、映像合成による特殊効果を用いて、一方の映像の表示終了の前に他方の映像の表示を開始して重複時間を作りながら、２つの前記バッファから出力された前記映像を交互に切り替えて表示する映像切替処理手段とを有する映像コンテンツ再生装置。
【請求項７】
前記映像合成による特殊効果は、一方の前記バッファから出力された映像をフェードアウトすると共に、他方の前記バッファから出力された映像をフェードインするクロスフェードである、請求項６記載の映像コンテンツ再生装置。
【請求項８】
２つの前記バッファから出力された音声を入力とし、前記映像切替処理手段における映像の切り替えと同期して前記音声を交互に切り替えて出力する音声切替手段をさらに有する、請求項６または７に記載の映像コンテンツ再生装置。
【請求項９】
前記デコーダが、前記映像コンテンツから抜き出した前記データを、通常再生と同方向に再生し、
２つの前記バッファが、前記再生出力を交互に蓄積および出力することにより早送り再生を行う、請求項６〜８のいずれか１項に記載の映像コンテンツ再生装置。
【請求項１０】
前記デコーダが、前記映像コンテンツから抜き出した前記データを、通常再生と逆方向に再生し、
２つの前記バッファが、前記再生出力を交互に蓄積および出力することにより早戻し再生を行う、請求項６〜９いずれか１項に記載の映像コンテンツ再生装置。
【請求項１１】
映像コンテンツを倍速再生するための映像コンテンツ再生方法であって、
前記映像コンテンツから抜き出した互いに時間的に離れたデータを、２つのデコーダにより交互に再生し、
映像合成による特殊効果を用いて、一方の映像の表示終了の前に他方の映像の表示を開始して重複時間を作りながら、２つの前記デコーダによって再生された前記映像を交互に切り替えて表示する映像コンテンツ再生方法。
【請求項１２】
前記映像合成による特殊効果は、一方の前記デコーダで再生された映像をフェードアウトすると共に、他方の前記デコーダで再生された映像をフェードインするクロスフェードである、請求項１１記載の映像コンテンツ再生方法。
【請求項１３】
２つの前記デコーダで得られた音声を、前記映像の切り替えと同期して交互に切り替えて出力する、請求項１１または１２に記載の映像コンテンツ再生方法。
【請求項１４】
前記映像コンテンツから抜き出した前記データを、２つの前記デコーダにより、通常再生と同方向に交互に再生することにより早送り再生を行う、請求項１１〜１３のいずれか１項に記載の映像コンテンツ再生方法。
【請求項１５】
前記映像コンテンツから抜き出した前記データを、２つの前記デコーダにより、通常再生と逆方向に交互に再生することにより早戻し再生を行う、請求項１１〜１３のいずれか１項に記載の映像コンテンツ再生方法。
【請求項１６】
映像コンテンツを倍速再生するための映像コンテンツ再生方法であって、
前記映像コンテンツから抜き出した互いに時間的に離れたデータを、順次デコーダで高速再生し、
前記デコーダの再生出力を２つのバッファに交互に蓄積し、通常再生の速度で交互に出力し、
映像合成による特殊効果を用いて、一方の映像の表示終了の前に他方の映像の表示を開始して重複時間を作りながら、２つの前記バッファから出力された前記映像を交互に切り替えて表示する映像コンテンツ再生方法。
【請求項１７】
前記映像合成による特殊効果は、一方の前記バッファから出力された映像をフェードアウトすると共に、他方の前記バッファから出力された映像をフェードインするクロスフェードである、請求項１６記載の映像コンテンツ再生方法。
【請求項１８】
２つの前記バッファから出力された音声を、前記映像の切り替えと同期して交互に切り替えて出力する、請求項１６または１７に記載の映像コンテンツ再生方法。
【請求項１９】
前記映像コンテンツから抜き出した前記データを、前記デコーダにより、通常再生と同方向に再生し、２つの前記バッファにより、前記再生出力を交互に蓄積および出力することにより早送り再生を行う、請求項１６〜１８のいずれか１項に記載の映像コンテンツ再生方法。
【請求項２０】
前記映像コンテンツから抜き出した前記データを、前記デコーダにより、通常再生と逆方向に再生し、２つの前記バッファにより、前記再生出力を交互に蓄積および出力することにより早戻し再生を行う、請求項１６〜１８いずれか１項に記載の映像コンテンツ再生方法。
【発明の詳細な説明】
【技術分野】
【０００１】
本発明は、映像コンテンツ再生装置に関し、特に、映像コンテンツ再生装置の早送り、早戻し再生に関する。
【背景技術】
【０００２】
従来のＶＴＲ（Ｖｉｄｅｏ  Ｔａｐｅ  Ｒｅｃｏｒｄｅｒ）に代わり、近年では、ＭＰＥＧ２（Ｍｏｖｉｎｇ  Ｐｉｃｔｕｒｅ  Ｅｘｐａｒｔｓ  Ｇｒｏｕｐ−２）で圧縮された映像を記録、再生するＨＤＤ（Ｈａｒｄ  Ｄｉｓｋ  Ｄｒｉｖｅ）レコーダが普及してきている。この種のＨＤＤレコーダによれば、高画質の映像を長時間にわたり記録し、再生することができる。
【０００３】
ＶＴＲやＨＤＤレコーダにおいて、記録された映像の中からユーザーが所望の部分の映像を見つけるとき、あるいは映像内容を短い時間で把握するとき、早送り再生や早戻し再生が便利である。早送り再生や早戻し再生によれば、ユーザーは通常の数倍から十数倍の速度で、大まかに映像を見ることができるので、短い時間で映像を網羅的に概観することができる。また、ハードディスクのような記録媒体では、早送り再生や早戻し再生の速度の倍率を選択可能とすることも比較的容易である。
【０００４】
従来のＶＴＲでは、単純にフレームを飛ばして再生するだけで、早送り再生や早戻し再生を実現することができた。しかし、ディジタル圧縮方式、例えばデータに時間方向圧縮を行うＭＰＥＧ２では早送り再生や早戻し再生が困難である。
【０００５】
ＭＰＥＧ２では、データは空間方向圧縮および時間方向圧縮の双方により圧縮される。ＭＰＥＧ２のデータは、連続するフレームで構成されるが、各フレームのデータが独立しているわけではない。ＭＰＥＧ２では、ＧＯＰ（Ｇｒｏｕｐ  Ｏｆ  Ｐｉｃｔｕｒｅ）という、複数のフレームで構成された単位でデータの圧縮および伸長の処理が行われる。
【０００６】
また、ＭＰＥＧのフレームには、Ｉ（Ｉｎｔｒａ  ｐｉｃｔｕｒｅ）フレーム、Ｐ（Ｐｒｅｄｉｃｔｉｖｅ  Ｐｉｃｔｕｒｅ）フレーム、Ｂ（Ｂｉｄｉｒｅｃｔｉｏｎａｌｌｙ  Ｐｒｅｄｉｃｔｉｖｅ  Ｐｉｃｔｕｒｅ）フレームの３種類がある。これらの組み合わせによりＧＯＰが構成される。
【０００７】
Ｉフレームは、圧縮および伸長の基準となるフレームであり、フレーム内での空間方向圧縮のみが行われている。そのため、Ｉフレームは、それ自身のデータから画像を復元することができる。
【０００８】
ＰフレームおよびＢフレームは、空間方向圧縮に加えて、フレーム間での時間方向圧縮が行われている。Ｐフレームにおける時間方向圧縮は、時間軸の順方向（正常再生方向）のみの予測を取り入れている。したがって、Ｐフレームでは、画像を復元するのに、そのＰフレーム自身のデータに加えて、その前のＩフレームおよび／またはＰフレームのデータが必要となる。
【０００９】
また、Ｂフレームは、時間軸の順方向および逆方向の予測を取り入れている。したがって、Ｂフレームでは、画像を復元するのに、そのＢフレーム自身のデータに加えて、その前のみならず後のＩフレームおよび／またはＰフレームのデータが必要となる。
【００１０】
このように時間方向圧縮の行われたデータから、早送り再生や早戻し再生で、任意のフレームの画像を復元しようとすると、その前後のフレームのデータが必要な場合があり画像復元の処理が煩雑となる。
【００１１】
これに対して、通常再生用データとは別に、早送り再生や早戻し再生のような特殊再生のためのデータを記録しておくという方法が提案されている（例えば、特許文献１参照）。これによれば、早送り再生のような特殊再生を容易に実現することができる。しかし、特許文献１に提案された方法では、記録すべきデータ量が増えてしまうという問題があった。
【００１２】
そのため、早送り再生または早戻し再生における従来の一般的な方法としては、単独で画像を復元可能なＩフレームのみを抜き出し、各Ｉフレームを数フレーム分繰り返して表示する方法が採られることが多かった。しかし、Ｉフレームを抜き出して繰り返し表示する従来の方法では、ユーザーは、映像中の時間的に離れた部分の静止画像を、順次、飛び飛びに見ることになる。そのため、この方法では、特に速度の倍率が高くなると、情報過多となって映像内容の把握が困難になっていた。
【００１３】
また、これを改善した他の方法として、一定期間の連続した映像を抜き出し、それらの映像を繋ぎ合わせて表示する方法がとられることもあった。連続した映像は、時間方向圧縮されたＭＰＥＧ２のデータから通常再生と同様にして復元できるので、この方法によれば、煩雑な処理を要さずに、情報過多の問題を緩和することが可能である。
【特許文献１】特開平１０−２５７４３３号公報
【発明の開示】
【発明が解決しようとする課題】
【００１４】
しかし、抜き出された一定期間の映像を繋ぎ合わせて表示する従来の方法では、ユーザーは、映像中の時間的に離れた部分を繋がったものとして見ることとなる。一般に、ユーザーは、画像が連続的に表示されると、それを頭の中で連続した場面として構成する傾向にある。そのため、本来であれば連続した場面と認識すべきでない部分を連続した場面と認識することにより混乱し、映像内容を把握できなくなることがあった。
【００１５】
本発明の目的は、映像内容を把握しやすいような早送り再生および早戻し再生を可能にする映像コンテンツ再生装置および方法を提供することである。
【課題を解決するための手段】
【００１６】
上記目的を達成するために、本発明の映像コンテンツ再生装置は、映像コンテンツを倍速再生する映像コンテンツ再生装置であって、
前記映像コンテンツから抜き出した、互いに時間的に離れたデータをそれぞれの入力として交互に再生する２つのデコーダと、
２つの前記デコーダで再生された前記映像を入力とし、映像合成による特殊効果を用いて、一方の映像の表示終了の前に他方の映像の表示を開始して重複時間を作りながら、２つの前記デコーダによって再生された前記映像を交互に切り替えて表示する映像切替処理手段とを有している。
【００１７】
したがって、本発明によれば、２つのデコーダが、映像コンテンツから抜き出した部分のデータを交互に再生し、映像切替処理手段が、映像の切り替わり部分に特殊効果を施しながら、２つのデコーダの映像を交互に切り替えて表示するので、切り替わり部分の認識が容易な倍速再生映像を表示することができる。
【００１８】
また、本発明の映像コンテンツ再生装置において、前記映像合成による特殊効果は、一方の前記デコーダで再生された映像をフェードアウトすると共に、他方の前記デコーダで再生された映像をフェードインするクロスフェードであることとしてもよい。
【００１９】
クロスフェード処理によれば映像が徐々に切り替わるので、ユーザーにより見逃されることが無い。
【００２０】
また、本発明の映像コンテンツ再生装置において、２つの前記デコーダで得られた音声を入力とし、前記映像切替処理手段における映像の切り替えと同期して前記音声を交互に切り替えて出力する音声切替手段をさらに有することとしてもよい。
【００２１】
また、本発明の映像コンテンツ再生装置において、２つの前記デコーダが、前記映像コンテンツから抜き出した前記データを、通常再生と同方向に交互に再生することにより早送り再生を行うこととしてもよい。また、２つの前記デコーダが、前記映像コンテンツから抜き出した前記データを、通常再生と逆方向に交互に再生することにより早戻し再生を行うこととしてもよい。
【００２２】
本発明の他の映像コンテンツ再生装置は、映像コンテンツを倍速再生する映像コンテンツ再生装置であって、
前記映像コンテンツから抜き出した、互いに時間的に離れたデータを入力として順次高速再生するデコーダと、
前記デコーダの再生出力を交互に蓄積し、通常再生の速度で交互に出力する２つのバッファと、
２つの前記バッファから出力された前記映像を入力とし、映像合成による特殊効果を用いて、一方の映像の表示終了の前に他方の映像の表示を開始して重複時間を作りながら、２つの前記バッファから出力された前記映像を交互に切り替えて表示する映像切替処理手段とを有している。
【００２３】
したがって、デコーダが、映像コンテンツから抜き出した部分のデータを順次高速再生し、２つのバッファが交互に蓄積および出力し、映像切替処理手段が、映像の切り替わり部分に特殊効果を施しながら、２つのバッファからの映像を交互に切り替えて表示するので、切り替わり部分の認識が容易な倍速再生映像を表示することができる。
【００２４】
また、本発明の他の映像コンテンツ再生装置において、前記映像合成による特殊効果は、一方の前記バッファから出力された映像をフェードアウトすると共に、他方の前記バッファから出力された映像をフェードインするクロスフェードであることとしてもよい。
【００２５】
また、本発明の他の映像コンテンツ再生装置において、２つの前記バッファから出力された音声を入力とし、前記映像切替処理手段における映像の切り替えと同期して前記音声を交互に切り替えて出力する音声切替手段をさらに有することとしてもよい。
【００２６】
また、本発明の他の映像コンテンツ再生装置において、前記デコーダが、前記映像コンテンツから抜き出した前記データを、通常再生と同方向に再生し、２つの前記バッファが、前記再生出力を交互に蓄積および出力することにより早送り再生を行うこととしてもよい。また、本発明の他の映像コンテンツ再生装置において、前記デコーダが、前記映像コンテンツから抜き出した前記データを、通常再生と逆方向に再生し、２つの前記バッファが、前記再生出力を交互に蓄積および出力することにより早戻し再生を行うこととしてもよい。
【発明の効果】
【００２７】
本発明によれば、２つのデコーダが、映像コンテンツから抜き出した部分のデータを交互に再生し、映像切替処理手段が、映像の切り替わり部分に特殊効果を施しながら、２つのデコーダの映像を交互に切り替えて表示するので、切り替わり部分の認識が容易な倍速再生映像が表示され、倍速再生映像を見たユーザーが映像の切り替わり部分をはっきりと認識でき、映像内容を容易に把握することができる。
【００２８】
また、クロスフェード処理によれば映像が徐々に切り替わるので、ユーザーにより見逃されることが無く、また、一定周期でクロスフェードが連続するコンテンツは稀なので、コンテンツ中の場面の切り替わりとの区別もつきやすい。
【００２９】
また、デコーダが、映像コンテンツから抜き出した部分のデータを順次高速再生し、２つのバッファが交互に蓄積および出力し、映像切替処理手段が、映像の切り替わり部分に特殊効果を施しながら、２つのバッファからの映像を交互に切り替えて表示するので、切り替わり部分の認識が容易な倍速再生映像が表示され、倍速再生映像を見たユーザーが映像の切り替わり部分をはっきりと認識することができ、映像内容を容易に把握することができる。
【発明を実施するための最良の形態】
【００３０】
本発明の一実施形態について図面を参照して詳細に説明する。
【００３１】
図１は、本発明の一実施形態のＨＤＤレコーダの構成を示すブロック図である。図１を参照すると、ＨＤＤ（Ｈａｒｄ  Ｄｉｓｋ  Ｄｒｉｖｅ）レコーダは、デコーダ１１Ａ、１１Ｂ、映像切替処理部１２、音声切替部１３、再生制御部１４、ＧＵＩ（Ｇｒａｐｈｉｃａｌ  Ｕｓｅｒ  Ｉｎｔｅｒｆａｃｅ）部１５、およびＨＤＤ１６を有し、映像コンテンツを再生可能である。
【００３２】
ＨＤＤ１６は、ＭＰＥＧ２の映像コンテンツのデータファイルを蓄積するためのハードディスクドライブである。通常、映像コンテンツは映像の他に音声を含んでいる。
【００３３】
デコーダ１１Ａ、１１Ｂは、ＨＤＤ１６に蓄積されている映像コンテンツのデータをデコードし、得られた映像信号を映像切替処理部１２に、音声信号を音声切替部１３に出力する。早送り再生または早戻し再生のような倍速再生では、デコーダ１１Ａとデコーダ１１Ｂは、映像コンテンツの中から順次抜き出された短い時間の映像を交互に再生する。その際、一方のデコーダの再生終了前に他方のデコーダが再生を開始することにより、２つのデコーダ１１Ａ、１１Ｂから同時に映像および音声信号が出力される重複時間を作る。
【００３４】
映像切替処理部１２は、再生制御部１４からの指示に従って、デコーダ１１Ａからの映像信号と、デコーダ１１Ｂからの映像信号とを、その境界（重複時間）においてクロスフェードを行いながら、交互に切り替えて出力する。クロスフェードとは、一方の映像を再生している状態からその映像をフェードアウトしていくと共に、他方の映像をフェードインすることにより映像を徐々に切り替える特殊効果処理であり、ディゾルブとも呼ばれる。このクロスフェードにより、ユーザーは、映像の切り替わり部分をはっきりと認識することができるようになる。
【００３５】
音声切替部１３は、再生制御部１４からの指示に従って、デコーダ１１Ａからの音声信号と、デコーダ１１Ｂからの音声信号とを交互に切り替えて出力する。音声切替部１３による音声の切り替えは、映像切替部１２による映像の切り替えと同期していることが好ましい。また、音声の切替には、映像と同様にクロスフェードを用いてもよく、あるいは用いなくてもよい。クロスフェードに代わる特殊効果として、先行する音声を完全にフェードアウトし終えた後に、次の音声をフェードインすることとしてもよい。その場合、フェードアウトとフェードインの間の切り替え時に一定の無音時間を挿入することもできる。また、音量を変化させることなく、単純に音声を切り替えることとしてもよい。この場合にも、音声の切り替え時に一定の無音時間を挿入してもよい。
【００３６】
ＧＵＩ部１５は、ユーザーの入力に基づき、映像コンテンツの再生種別を選択する。再生種別には、通常再生、早送り再生、および早戻し再生が含まれている。早送り再生および早戻し再生では、ユーザーは各種の速度倍率を選択可能である。
【００３７】
再生制御部１４は、ＧＵＩ部１５で選択された再生種別に基づき各部の動作を制御する。早送り再生または早戻し再生では、再生制御部１４は、映像コンテンツから速度倍率に応じて抜き出した、時間的に離れたデータをデコーダ１１Ａ、１１Ｂに交互に与える（充填する）。また、再生制御部１４は、クロスフェード処理を行うための各種タイミングを映像切替処理部１２に与える。また、再生制御部１４は、デコーダ１１Ａ、１１Ｂからの音声信号を交互に切り替えるためのタイミングを音声切替部１３に与える。なお、データの抜き出しは、例えばＧＯＰ単位に行われる。
【００３８】
図２は、早送り再生時に、映像コンテンツの一部が抜き出されて表示される様子を示す図である。図２を参照すると、通常再生で表示される映像の時間軸上の一部（図中では楕円にて表示）を抜き出し、それを接続することにより、早送り再生の映像が構成される。これにより、早送り再生の映像は、一般的には通常再生の映像の数倍〜十数倍の速度で進行することとなる。ただし、早送り再生の速度は、通常再生の数倍以下でも十数倍以上でもよく、また整数倍に限られるものでもない。
【００３９】
図２中、“Ａ”はデコーダ１１Ａでデコードされた映像信号を示し、“Ｂ”はデコーダ１１Ｂでデコードされた映像信号を示している。映像切替処理部１２は、クロスフェード処理により映像を徐々に切り替えている。クロスフェード処理は、各フレームにおいて２つの画像の各画素を所定の比率で混合し、時間経過と共にその比率を変化させることにより実現される。図２を見て分かるように、本ＨＤＤレコーダが２つのデコーダを必要とするのは、クロスフェード処理において２つの映像を同時に表示する時間があるからである。
【００４０】
図３は、早送り再生時に、２つの映像がクロスフェードにより徐々に切り替わる様子を示す図である。図３を参照すると、時間が横軸に、半透明率が縦軸に示されている。
【００４１】
半透明率は、フェードインまたはフェードアウトにおける各画像の元の色に対する係数である。半透明率が“１”のとき元の色そのものが表示され、半透明率が“０”のとき元の色が全く表示されない。クロスフェード処理では、一例として、合成しようとする２つの画像における各画素の色の値にそれぞれの半透明率を乗算し、得られた２つの値を加算することにより、その画素の色の値を得ることができる。
【００４２】
例えば、ある画素において、デコーダ１１Ａの画像の色の値が“ＣA”であり、デコーダ１１Ｂの画像の色の値が“ＣB”であるとする。また、デコーダ１１Ａの画像に対する半透明率が“ρ”であり、デコーダ１１Ｂの画像に対する半透明率が“１−ρ”であるとする。その場合、２つの画像を合成した色の値ＣCは、式（１）で得られる。
【００４３】
【数１】
2005286881.tif 000003
【００４４】
一方、横軸に着目すると、いずれか一方の映像のみが表示される期間が“ａ”であり、クロスフェードにより双方の映像が重ねて表示される期間が“ｂ”である。ｂの時間、またはａとｂの時間比を適切に選択することにより、ユーザーが映像の切り替わり部分を確実に認識できるように設定することができる。
【００４５】
図４は、８倍速の早送り再生の様子を例示する図である。図４を参照すると、通常再生における１２秒毎に２秒の映像を抜き出し、ａ＝１秒、ｂ＝１／２秒としてクロスフェードが行われている。これにより、早送り再生の映像は、通常再生の映像の８倍の速度で進行することとなる。
【００４６】
図５は、本実施形態のＨＤＤレコーダの早送り再生における動作を示すフローチャートである。図５を参照すると、ＧＵＩ部１５がユーザーから早送り再生の指示を受けると、再生制御部１４は、早送り再生のための一連動作を各部に指示する。
【００４７】
ステップ１０１にて、まず再生制御部１４は変数“ｍ＝１”と置く。次に、再生制御部１４は、ステップ１０２にて、デコーダ１１Ａに区間Ａｍのデータを充填し、デコーダＢに区間Ｂｍのデータを充填する。
【００４８】
区間Ａｍは、デコーダ１１Ａにて再生するｍ番目のデータの区間であり、デコーダ１１Ｂにて再生するｍ番目のデータの区間である。早送り再生では、区間Ａ１、Ｂ１、Ａ２、Ｂ２、・・・の順で映像が再生される。この区間Ａｍは式（２）により、区間Ｂｍは式（３）により得られる。式（２）（３）において、“Ｓ”は早送り再生のスタートポイントを示す。また、ｎは早送り再生の速度倍率である。
【００４９】
【数２】
2005286881.tif 000004
【００５０】
【数３】
2005286881.tif 000005
【００５１】
次に、ステップ１０３にて、デコーダ１１Ａが区間Ａｍの映像を再生すると共に、映像切替処理部１２がその映像を出力して表示する。さらに、ステップ１０４にて、デコーダ１１Ｂが区間Ｂｍの映像の再生を開始すると共に、映像切替処理部１２がデコーダ１１Ａからデコーダ１１Ｂへのクロスフェードを行う。クロスフェードの後は、ステップ１０５にて、映像切替処理部１２は、デコーダ１１Ｂで再生される映像を表示する。
【００５２】
次に、ステップ１０６にて、再生制御部１４は、早送り再生を終了するか否か判定する。例えば、ユーザーがＧＵＩ部１５に対して終了の指示を入力した場合、または早送り再生がコンテンツの末尾まで進行した場合に、再生制御部１４は早送り再生を終了すべきと判定する。早送り再生を終了すると判定すれば、再生制御部１４は、各部への指示を終了し、早送り再生を終了させる。
【００５３】
早送り再生を終了しないと判断すれば、再生制御部１４は、ステップ１０７にて、“ｍ”に“１”を加算し、ステップ１０８にて、デコーダ１１Ａに区間Ａｍのデータを充填する。
【００５４】
次に、ステップ１０９にて、デコーダ１１Ａが区間Ａｍの映像の再生を開始すると共に、映像切替処理部１２がデコーダ１１Ｂからデコーダ１１Ａへのクロスフェードを行う。クロスフェードの後は、ステップ１１０にて、映像切替処理部１２は、デコーダ１１Ａで再生される映像を表示する。そして、ステップ１１１にて、再生制御部１４は、デコーダ１１Ｂに区間Ｂｍのデータを充填し、ステップ１０４へ戻る。
【００５５】
以上説明したように、本実施形態によれば、映像コンテンツから抜き出した部分のデータを２つのデコーダ１１Ａ、１１Ｂで交互に再生し、映像切替処理部１２がデコーダ１１Ａおよびデコーダ１１Ｂの各々で再生された映像を、クロスフェードを行いながら交互に切り替えるので、切り替わり部分の認識が容易な早送り再生映像が表示され、早送り再生を見たユーザーが映像の切り替わり部分をはっきりと認識することができ、映像内容を容易に把握することができる。
【００５６】
また、クロスフェードのような映像合成による特殊効果処理によれば映像が徐々に切り替わるので、ユーザーにより見逃されることが無く、さらに、映像コンテンツの中で一定周期でクロスフェードが用いられることは稀なので、映像コンテンツ中の場面の切り替わりとの区別もつきやすい。
【００５７】
なお、ここでは倍速再生の例として早送り再生を示したが、早戻し再生も同様に行うことができる。早戻し再生では、映像コンテンツから抜き出した映像を、通常再生と逆方向に接続すればよい。また、その際、抜き出した映像内の一連のフレームを通常再生と逆方向に再生してもよく、通常再生と同方向に再生してもよい。映像の切り替わり部分をクロスフェードによりユーザーに確実に認識させることができるので、いずれの方法で早戻し再生を行っても、ユーザーに混乱が生じにくく、映像内容の把握が容易である。
【００５８】
また、本実施形態では、映像の切り替わり部分をユーザーに認識させるために、映像合成の例としてクロスフェードを用いたが、本発明はこれに限定されるものではない。例えば、表示中の一方の映像を他方の映像で上書きあるいは押し出すこと（ワイプ）により映像を切り替えてもよい。
【００５９】
また、本実施形態では、映像の切り替わりに合わせて、音声を切り替える例を示したが、本発明はそれに限定されない。例えば、早送り再生のときには音声を停止することとしてもよい。
【００６０】
さらに、本発明の他の実施形態として、高速再生処理が可能な１つのデコーダと、そのデコーダから出力された映像を一時蓄積する２つのバッファとを用いてＨＤＤレコーダを構成することとしてもよい。図６は、本発明の他の実施形態のＨＤＤレコーダの構成を示すブロック図である。図６を参照すると、ＨＤＤレコーダは、デコーダ２１、バッファ２２Ａ、２２Ｂ、映像切替処理部１２、音声切替部１３、再生制御部２３、ＧＵＩ部１５、およびＨＤＤ１６を有している。映像切替処理部１２、音声切替部１３、ＧＵＩ部１５、およびＨＤＤ１６は図１に示したものと同じものである。
【００６１】
デコーダ２１は、図に示されたデコーダ１１Ａ、１１Ｂと同様に映像コンテンツのデータをデコードするが、通常の再生速度より高速なデコードが可能な点で図１のものと異なる。倍速再生では、デコーダ２１は、映像コンテンツの中から順次抜き出された短い時間の映像および音声を高速で再生する。
【００６２】
バッファ２２Ａ、２２Ｂは、デコーダ２１で再生された映像および音声を一時蓄積し、所望のタイミングで映像切替処理部１２に出力することができる。倍速再生では、デコーダ２１で順次再生された短い時間の映像および音声を交互に蓄積し、再生制御部２３から与えられたタイミングで交互に通常再生速度で出力する。その際、一方のバッファの出力終了前に他方のバッファの出力を開始することにより、２つのバッファ２２Ａ、２２Ｂから同時に映像および音声信号が出力される重複時間を作る。
【００６３】
再生制御部２３は、ＧＵＩ部１５で選択された再生種別に基づき各部の動作を制御する点で図１に示した再生制御部１４と同様である。ただし、早送り再生または早戻し再生において、再生制御部２３は、映像コンテンツから速度倍率に応じて抜き出した、時間的に離れたデータを１つのデコーダ２１に順次与える点、デコーダ２１で高速でデコードされ交互に蓄積したデータを出力するタイミングをバッファ２２Ａ、２２Ｂの各々に交互に与える点で図１のものとは異なる。
【００６４】
したがって、図６のＨＤＤデコーダによれば、映像コンテンツから抜き出した部分のデータをデコーダ２１で高速再生し、バッファ２２Ａとバッファ２２Ｂが交互に蓄積および出力し、映像切替処理部１２がバッファ２２Ａ、２２Ｂの各々で再生された映像を、クロスフェードのような特殊効果処理を施しながら交互に切り替えるので、切り替わり部分の認識が容易な早送り再生映像が表示され、早送り再生を見たユーザーが映像の切り替わり部分をはっきりと認識することができ、映像内容を容易に把握することができる。
【００６５】
なお、早送り再生では、デコーダ２１は、映像コンテンツの中から順次抜き出された短い時間の映像および音声を通常再生と同方向に再生し、バッファ２２Ａ、２２Ｂはその方向に蓄積し、出力すればよい。また、早戻し再生では、デコーダ２１は、短い時間の映像および音声を通常再生と逆方向に再生し、バッファ２２Ａ、２２Ｂはその方向に蓄積し、出力すればよい。
【図面の簡単な説明】
【００６６】
【図１】本発明の一実施形態のＨＤＤレコーダの構成を示すブロック図である。
【図２】早送り再生時に、映像コンテンツの一部が抜き出されて表示される様子を示す図である。
【図３】早送り再生時に、２つの映像がクロスフェードにより徐々に切り替わる様子を示す図である。
【図４】８倍速の早送り再生の様子を例示する図である。
【図５】本実施形態のＨＤＤレコーダの早送り再生における動作を示すフローチャートである。
【図６】本発明の他の実施形態のＨＤＤレコーダの構成を示すブロック図である。
【符号の説明】
【００６７】
１１Ａ、１１Ｂ、２１    デコーダ
１２    映像切替処理部
１３    音声切替部
１４、２３    再生制御部
１５    ＧＵＩ（Ｇｒａｐｈｉｃａｌ  Ｕｓｅｒ  Ｉｎｔｅｒｆａｃｅ）部
１６    ＨＤＤ（Ｈａｒｄ  Ｄｉｓｋ  Ｄｒｉｖｅ）
２２Ａ、２２Ｂ    バッファ
１０１〜１１１    ステップ
【図１】
2005286881.tif 000006
【図２】
2005286881.tif 000007
【図３】
2005286881.tif 000008
【図４】
2005286881.tif 000009
【図５】
2005286881.tif 000010
【図６】
2005286881.tif 000011